(57)【要約】      （修正有）【課題】床を汚さず、足が滑ることがないホームカバーを提供する。【解決手段】足の裏を覆う底布地２０と、足の甲を覆う甲布地１０とからなり、底布地２０の床面側と足裏側の両方に、滑り止め部材が付されている。室内でホームカバーＡを履くことにより、作業員の汗で床に足跡を残すことがなく、床を汚すことを防止できる。底布地２０の床面側に滑り止め部材が付されているので、ホームカバーＡと床面との摩擦力が大きくなり、足が滑ることを防止できる。底布地２０の足裏側に滑り止め部材が付されているので、足の裏とホームカバーＡとの摩擦力が大きくなり、ホームカバーＡの中で足がずれることがなく、足で踏ん張ることができる。【選択図】図１
0003167269.tif 000002
【実用新案登録請求の範囲】
【請求項１】
足の裏を覆う底部と、足の甲を覆う甲部とからなり、
前記底部の床面側と足裏側の両方に、滑り止め部材が付されている
ことを特徴とするホームカバー。
【請求項２】
前記滑り止め部材は、所定の間隔をあけて格子状に配置された複数の点状であり、
前記底部の床面側に付された滑り止め部材の間隔は、前記底部の足裏側に付された滑り止め部材の間隔に比べて小さい
ことを特徴とする請求項１記載のホームカバー。
【請求項３】
前記滑り止め部材は、所定の間隔をあけて格子状に配置された複数の点状であり、
該滑り止め部材により構成される格子は、前記底部の繊維方向に対して斜めに配置されている
ことを特徴とする請求項１または２記載のホームカバー。
【請求項４】
前記底部を構成する底布地と、前記甲部を構成する甲布地とを縫い合わせて形成されており、
前記滑り止め部材は、前記底布地の縫い代を除く領域に付されている
ことを特徴とする請求項１、２または３記載のホームカバー。
【請求項５】
前記甲部は、踵部分で左右に開かれた甲布地を該踵部分で縫い合わせて形成されており、
前記踵部分の縫合の縫い目間隔は、該踵部分が上下の伸長に耐え得る間隔である
ことを特徴とする請求項１、２、３または４記載のホームカバー。
【請求項６】
前記甲部には、ロゴが刺繍で付されている
ことを特徴とする請求項１、２、３、４または５記載のホームカバー。
【考案の詳細な説明】
【技術分野】
【０００１】
本考案は、ホームカバーに関する。さらに詳しくは、重量物を運搬するとき等に、室内で靴下の上から履くホームカバーに関する。
【背景技術】
【０００２】
電器店による電化製品の配達、設置や、引越しにおける家具の運搬、移設等の際には、冷蔵庫やテレビ等の重量物を室内に運び入れ、設置作業を行う必要がある。
しかし、通常の靴下は木綿製であり、一般家庭の床はフローリングや畳であるので、摩擦力が小さく足が滑りやすい。そのため、重量物を支持したまま転倒したり、階段から足を踏み外したりして怪我をする恐れがある。
そこで、足が滑らないように、底面に滑り止め部材を設けた靴下が考案されている（特許文献１）。この従来の靴下により、靴下と床面との摩擦力が大きくなるため、ある程度、足が滑ることを低減することができる。
【０００３】
しかるに、重量物を運搬する作業員は汗をかいている場合が多く、体温も上昇しているから、靴下のまま室内に入ると、汗で床に足跡が残り、床を汚してしまうという問題がある。
また、滑り止め部材は靴下の底面にしか設けられていないため、靴下と床面との摩擦力は大きいが、足の裏と靴下との摩擦力は小さい。そのため、足で踏ん張ると靴下の中で足がずれ、靴下が脱げるばかりか、足の力が抜けて踏ん張ることができないという問題がある。
【先行技術文献】
【特許文献】
【０００４】
【特許文献１】特開２００１−９８４０１号公報
【考案の概要】
【考案が解決しようとする課題】
【０００５】
本考案は上記事情に鑑み、床を汚さず、足が滑ることがないホームカバーを提供することを目的とする。
【課題を解決するための手段】
【０００６】
第１考案のホームカバーは、足の裏を覆う底部と、足の甲を覆う甲部とからなり、前記底部の床面側と足裏側の両方に、滑り止め部材が付されていることを特徴とする。
第２考案のホームカバーは、第１考案において、前記滑り止め部材は、所定の間隔をあけて格子状に配置された複数の点状であり、前記底部の床面側に付された滑り止め部材の間隔は、前記底部の足裏側に付された滑り止め部材の間隔に比べて小さいことを特徴とする。
第３考案のホームカバーは、第１または第２考案において、前記滑り止め部材は、所定の間隔をあけて格子状に配置された複数の点状であり、該滑り止め部材により構成される格子は、前記底部の繊維方向に対して斜めに配置されていることを特徴とする。
第４考案のホームカバーは、第１、第２または第３考案において、前記底部を構成する底布地と、前記甲部を構成する甲布地とを縫い合わせて形成されており、前記滑り止め部材は、前記底布地の縫い代を除く領域に付されていることを特徴とする。
第５考案のホームカバーは、第１、第２、第３または第４考案において、前記甲部は、踵部分で左右に開かれた甲布地を該踵部分で縫い合わせて形成されており、前記踵部分の縫合の縫い目間隔は、該踵部分が上下の伸長に耐え得る間隔であることを特徴とする。
第６考案のホームカバーは、第１、第２、第３、第４または第５考案において、前記甲部には、ロゴが刺繍で付されていることを特徴とする。
【考案の効果】
【０００７】
第１考案によれば、室内でホームカバーを履くことにより、作業員の汗で床に足跡を残すことがなく、床を汚すことを防止できる。また、底部の床面側に滑り止め部材が付されているので、ホームカバーと床面との摩擦力が大きくなり、足が滑ることを防止できる。さらに、底部の足裏側に滑り止め部材が付されているので、足の裏とホームカバーとの摩擦力が大きくなり、ホームカバーの中で足がずれることがなく、足で踏ん張ることができる。
第２考案によれば、底部の床面側に付された滑り止め部材の間隔は小さいので、平らな床面に接する面積が広くなり、ホームカバーと床面との摩擦力が大きくなる。また、底部の足裏側に付された滑り止め部材の間隔は大きいので、凹凸のある足の裏に接する面積が広くなり、足の裏とホームカバーとの摩擦力が大きくなる。
第３考案によれば、滑り止め部材により構成される格子は、繊維方向に対して斜めに配置されているので、繊維の谷間に点状の滑り止め部材が埋もれることがなく、十分に摩擦力を発揮することができる。
第４考案によれば、滑り止め部材は底布地の縫い代を除く領域に付されているので、底布地と甲布地との縫い目に滑り止め部材が挟まることがなく、縫製力を強く保つことができる。
第５考案によれば、踵部分の縫合の縫い目間隔は、踵部分が上下の伸長に耐え得る間隔であるから、作業員の踵により、ホームカバーの踵部分に上方向の力がかかっても、その力に耐えることができる。
第６考案によれば、ロゴが刺繍で縫い付けられているので、甲部の表面が床面に接着した際にロゴ部分と床面とが擦れても床を汚すことを防止することができる。
【図面の簡単な説明】
【０００８】
【図１】本考案の一実施形態に係るホームカバーの側面図である。
【図２】図１におけるII−II線矢視断面図である。
【図３】底布地の足裏側の説明図である。
【図４】底布地の底面側の説明図である。
【図５】甲布地の踵部分をホームカバーの内側から見た拡大図である。
【図６】本考案の一実施形態に係るホームカバーの正面図である。
【考案を実施するための形態】
【０００９】
つぎに、本考案の実施形態を図面に基づき説明する。
図１に示すように、本考案の一実施形態に係るホームカバーＡは、足の甲を覆う甲部と足の裏を覆う底部からなる靴形に形成されている。また、ホームカバーＡは、底部を構成する底布地２０と、甲部を構成する甲布地１０とを縫い合わされて形成されている。
電器店等の作業員が、このホームカバーＡを室内で靴下の上から履くことにより、作業員の汗で室内の床に足跡を残すことがなく、床を汚すことを防止できる。
【００１０】
甲布地１０は薄手であることが好ましく、特にナイロンジャージ素材であることが好ましい。ナイロンジャージ素材は、適度な強度と通気性や柔らかさを備えるため、履き心地がよいからである。
【００１１】
また、甲布地１０には足を入れる履き口１１が形成されている。図２に示すように、履き口１１にはその縁に沿ってゴム通し部１２が縫い付けられている。ゴム通し部１２は甲布地１０と同じ素材の布地からなり、その布地を逆Ｕ字形折り曲げ、かつ平面視において環状に繋いだものである。そして、ゴム通し部１２の内部には、環状のゴムが通されている。
そのため、ホームカバーＡを脱いだり履いたりすることが容易であり、装着時には、ホームカバーＡが足首で固定されるため、作業中に簡単に脱げたりせず、安全である。
【００１２】
底布地２０は、足裏底布地２１と緩衝材２２と床面底布地２３とが三層に積層して接着され、形成されている。足裏底布地２１と床面底布地２３に挟まれた緩衝材２２は、衝撃を吸収する機能があれば何でもよく、例えばポリウレタン等が用いられる。
【００１３】
足裏底布地２１の足裏側と床面底布地２３の床面側には、滑り止め部材３１、３２が貼り付けられている。すなわち、底布地２０には、足裏側にも床面側にも滑り止め部材３１、３２が配置されている。ここで、足裏側とは、ホームカバーＡの内側で、人の足の裏が接する側のことである。また、床面側とは、ホームカバーＡの外側で、床が接する側のことである。
なお、滑り止め部材３１、３２の素材は、ゴムや軟質のプラスチック、塩化ビニール等、足裏や床面と摩擦係数が高いものが好ましい。
【００１４】
図３に示すように、足裏側の滑り止め部材３１は、所定の間隔をあけて格子状に配置された複数の点状となっており、その一つの点の直径は約２ｍｍである。また、点と点との縦の間隔は約６ｍｍであって、横の間隔は約５ｍｍである。
滑り止め部材３１はこのような形状であるから、凹凸の激しい足裏であっても、足裏と滑り止め部材３１との接する面積が広くなり、足裏とホームカバーＡとの摩擦力が大きくなる。そのため、ホームカバーＡの中で足がずれることがなく、足で踏ん張ることができる。
【００１５】
また、滑り止め部材３１により構成される格子は、足裏底布地２１の繊維方向に対して斜めに配置されている。より具体的には、足裏底布地２１の繊維方向は縦方向であるから、滑り止め部材３１により構成される格子は斜めに配置されている。
これにより、足裏底布地２１の繊維の谷間に点状の滑り止め部材３１が埋もれることがなく、十分に摩擦力を発揮することができる。
【００１６】
さらに、滑り止め部材３１は、底布地２０と甲布地１０とを縫い合わせるための縫い代Ｓを除く領域に付されている。
こうすることにより、底布地２０と甲布地１０との縫い目に滑り止め部材３１が挟まることがないため、底布地２０と甲布地１０との縫製力を強く保つことができる。
【００１７】
図４に示すように、床面側の滑り止め部材３２は、所定の間隔をあけて格子状に配置された複数の点状となっており、その一つの点の直径は約１ｍｍである。また、点と点との縦、横の間隔は約０．５ｍｍであり、足裏側の滑り止め部材３１よりも、間隔が小さくなっている。
滑り止め部材３２はこのような形状であるから、滑り止め部材３２と平らな床面との接する面積が広くなり、ホームカバーＡと床面との摩擦力が大きくなる。そのため、足が滑ることを防止でき、室内で作業員が作業しやすい。
【００１８】
また、滑り止め部材３１により構成される格子を、床面底布地２３の繊維方向に対して斜めに配置してもよい。
ただし、本実施形態における床面底布地２３の繊維は細かいため、繊維の谷間が小さい。このような場合には、滑り止め部材３２により構成される格子を、床面底布地２３の繊維方向に対して斜めに配置しなくてもよい。
【００１９】
さらに、滑り止め部材３２を、底布地２０と甲布地１０とを縫い合わせるための縫い代を除く領域に付してもよい。
ただし、本実施形態における滑り止め部材３２の点の直径は小さいため、縫い代にも付されている。滑り止め部材３２の点の直径が小さければ、底布地２０と甲布地１０との縫い目に滑り止め部材３２が挟まっても、底布地２０と甲布地１０との縫製力に及ぼす影響が小さいからである。
【００２０】
図５に示すように、甲部は、踵部分で左右に開かれた甲布地１０をその踵部分（踵縫製部１３）で縫い合わせて形成されている。踵縫製部１３の縫合の縫い目間隔は、踵部分が上下方向の伸長に耐え得る間隔であればよい。この間隔は甲布地１０の素材にもよるが、甲布地１０がナイロンジャージ素材の場合には、１ｃｍに６針程度である。
これにより、踵縫製部１３の縫合の強度が上がるため、作業員の踵によって、踵縫製部１３に上下方向の力がかかっても、その力に耐えることができる。
【００２１】
図６に示すように、甲布地１０には会社名等のロゴ１４を刺繍により付してもよい。
ロゴ１４が甲布地１０に直接プリントされていると、甲布地１０が床面に接触した際に床面とロゴ１４とが擦れ、プリントが床に付着し床を汚すおそれがある。特に、足の体温が高くなったときには顕著である。しかし、ロゴ１４は刺繍で付されているので、甲布地１０が床面に接触した際にロゴ１４と床面とが擦れても床を汚すことを防止できる。
【００２２】
さらに、ロゴ１４はホームカバーＡの正面から見て読めるようにすることが好ましい。すなわち、図６のロゴ１４のように、正面視で文字を通常に読めるように刺繍すれば、ロゴ１４の宣伝広告機能を高めることができる。
【符号の説明】
【００２３】
Ａ          ホームカバー
１０        甲布地
２０        底布地
２１        足裏底布地
２２        緩衝材
２３        床面底布地
３１、３２  滑り止め部材
【図１】
0003167269.tif 000003
【図２】
0003167269.tif 000004
【図３】
0003167269.tif 000005
【図４】
0003167269.tif 000006
【図５】
0003167269.tif 000007
【図６】
0003167269.tif 000008